(57)【特許請求の範囲】
【請求項１】
下面開口部を有するとともに、内部に送風機及び本体側係止部を備える本体ケースと、
この本体ケースの下面開口部を覆うように設けられ、内面側に一体的に取付部を形成する樹脂製の吸込パネルと、
前記取付部に取り付けられ、係止部を有する金属製の固定具と、
この固定具の係止部に中央部に形成されたループ状の巻線部が係止され、前記巻線部から延びて互いに離間する方向への付勢力を有する２本の腕部を前記本体ケース内の前記本体側係止部に係止させて前記吸込パネルを保持するバネ材と、
前記固定具と前記吸込パネルとを連結する連結材とを具備し、
前記固定具の係止部は、前記吸込パネルに沿って設けられる基板部と、この基板部との間に隙間を存して設けられ、前記バネ材のループ状の巻線部内に先端側から挿入される係止片とを有し、
前記隙間は、前記バネ材の巻線部挿入用の第１の隙間部と、前記バネ材の巻線部係止用の第２の隙間部とから構成され、
前記第１の隙間部の隙間寸法をＡ１、前記第２の隙間部の隙間寸法をＡ２、前記バネ材の線径をＢ、前記バネ材の巻線部の幅寸法をＣとしたとき、Ｂ＜Ａ１＜Ｃ＜Ａ２の関係を有することを特徴とする天井用換気装置。
【請求項２】
前記係止片に、前記第１の隙間部と第２の隙間部との間に位置して切欠部を形成したことを特徴とする請求項１記載の天井用換気装置。
【発明の詳細な説明】
【技術分野】
【０００１】
本発明は、屋根裏側に取り付けられる天井用換気装置に係わり、特に、本体ケースの下面開口部を覆う樹脂製の吸込パネルの取付構造の改良に関する。
【背景技術】
【０００２】
天井用換気装置は屋根裏側に設けられ、天井の開口部に下面開口部を対向させる本体ケースを備え、この本体ケース内には室内空気を下面開口部から吸い込んで屋根裏側から排気させる送風機が設けられている。また、本体ケースの下面開口部は樹脂製の吸込パネルによって覆われている。
【０００３】
吸込パネルの内面側には取付部が設けられ、この取付部には固定金具がネジによって固定されている。そして、この固定金具にはバネ材の中央部に形成されたループ状の巻線部が係止され、このバネ材の巻線部からは、互いに離間する方向への付勢力を有する２本の腕部が延出されている。
【０００４】
バネ材の２本の腕部は、本体ケース内に挿入されて本体側係止部に係止されることによりその付勢力により吸込パネルを本体ケース側に引き寄せて取り付けるようになっている（例えば、特許文献１参照。）。
【特許文献１】特開２０００−１３０８１６号
【発明の開示】
【発明が解決しようとする課題】
【０００５】
ところで、吸込パネルの取付部に取り付けられる固定金具には、吸込パネルを本体ケース方向に引き寄せる力が常に作用するため、長期使用により吸込パネルの取付部が劣化すると、取付部が破損することがある。このように取付部が破損すると、固定具が吸込パネルの取付部から離脱し、吸込パネルが落下する虞があった。
【０００６】
本発明は上記事情に着目してなされたもので、その目的とするところは、吸込パネルの取付部の劣化などにより固定具が吸込パネルの取付部から離脱しても、吸込パネルを落下させることのないようにした天井用換気装置を提供することにある。
【課題を解決するための手段】
【０００７】
上記課題を解決するため、請求項１記載の発明は、下面開口部を有するとともに、内部に送風機及び本体側係止部を備える本体ケースと、この本体ケースの下面開口部を覆うように設けられ、内面側に一体的に取付部を形成する樹脂製の吸込パネルと、前記取付部に取り付けられ、係止部を有する金属製の固定具と、この固定具の係止部に中央部に形成されたループ状の巻線部が係止され、前記巻線部から延びて互いに離間する方向への付勢力を有する２本の腕部を前記本体ケース内の前記本体側係止部に係止させて前記吸込パネルを保持するバネ材と、前記固定具と前記吸込パネルとを連結する連結材とを具備し、前記固定具の係止部は、前記吸込パネルに沿って設けられる基板部と、この基板部との間に隙間を存して設けられ、前記バネ材のループ状の巻線部内に先端側から挿入される係止片とを有し、前記隙間は、前記バネ材の巻線部挿入用の第１の隙間部と、前記バネ材の巻線部係止用の第２の隙間部とから構成され、前記第１の隙間部の隙間寸法をＡ１、前記第２の隙間部の隙間寸法をＡ２、前記バネ材の線径をＢ、前記バネ材の巻線部の幅寸法をＣとしたとき、Ｂ＜Ａ１＜Ｃ＜Ａ２の関係を有することを特徴とする。
【発明の効果】
【０００８】
本発明によれば、吸込パネルに固定される固定具が吸込パネルの取付部から離脱しても、吸込パネルの落下を防止でき、安全である。
【発明を実施するための最良の形態】
【０００９】
以下、本発明の実施の形態を図面を参照して詳細に説明する。  
図１は、本発明の一実施の形態である天井用換気装置１を示すもので、この天井用換気装置１は部屋２の天井裏３側に配置されている。部屋２の天井を構成する天井板５には、開口部５ａが形成され、この開口部５ａの周縁部には、天井裏３側に位置して取付枠６が設けられている。この取付枠６に天井用換気装置１が取り付けられている。一般に取付枠６は木製で組まれた枠で構成される。
【００１０】
天井用換気装置１は筒状をなす鋼材製の本体ケース８を備え、この本体ケース８の上面部８ａは閉塞され、下面には下面開口部９が形成されている。この本体ケース８は取付枠６の開口部６ａに下方から挿入されて取り付けられている。この本体ケース８の下端部周縁部には、側方へ張り出すフランジ１０が一体に設けられ、このフランジ１０が取付枠６の下面に下方から直接当接してねじ止め等の手段によって取付枠６に固定される。
【００１１】
本体ケース８内の上面部８ａにはモータ１２が取り付けられ、その回転軸１２ａには遠心ファンからなるファン１３が取着されている。これらモータ１２とこのモータ１２により回転されるファン１３とにより送風機１４が構成されている。本体ケース８内には、ファン１３の下方近傍に位置して吸気口１６を有する仕切板１７が設けられている。仕切板１７の下方部には、後述するバネ材３４を係止させるための本体側のバネ材引掛部（本体側係止部）１９が設けられている。また、本体ケース８の側面部には排気口１８が形成されている。この排気口１８には屋外に連通するダクト１５が接続されている。
【００１２】
一方、本体ケース８の下方には、天井板５の開口部５ａを下方から覆うように合成樹脂製の吸込パネル２０が配置されている。この吸込パネル２０は円形状をなし、多数個の通気口２１ａを有するグリル２１を備えている。
【００１３】
上記した構成において、送風機１４ａのモータ１２によりファン１３が回転駆動されると、そのファン１３の送風作用により、部屋２の空気が吸込パネル２０の通気口２１ａから本体ケース８の下面開口部９及び吸気口１６を通じて本体ケース８内に吸入され（矢印ａ参照）、その吸入された空気は、本体ケース８側面の排気口１８から天井裏３のダクト１５に排出される（矢印ｂ参照）。
【００１４】
ところで、吸込パネル２０の上面側（本体ケース側）の略中央部には図２及び図３に示すように取付部２３が一体的に樹脂で成形されており、この取付部２３に金属製の固定具（以下、固定金具という）２４が取り付けられている。固定金具２４は係止部２８を有し、この係止部２８は図４にも示すように、基板部２５と係止片２６と固定片２７とを有して構成されている。固定金具２４は基板部２５を吸込パネル２０の上面部に沿わせるとともに、固定片２７を取付部２３の上面部に重ねてネジ２９によって固定されている。また、固定金具２４の一端部側には、後述する連結棒３７の一端部を取り付けるための取付穴２４ａが形成されている。
【００１５】
固定金具２４の基板部２５と係止片２６との間には、隙間３０が形成されている。隙間３０は、後述するバネ材３４のループ状の巻線部３４ａを挿入させるための巻線部挿入用の第１の隙間部３１と、巻線部係止用の第２の隙間部３２とによって構成されている。
【００１６】
固定金具２４の係止片２６には、図１〜図３に示すようにバネ材３４が係止されている。バネ材３４は、その中央部にループ状の巻線部３４ａを有し、この巻線部３４ａから２本の腕部３４ｂが延びていて、それら両腕部３４ｂが互いに離間する方向への付勢力を有している。
【００１７】
バネ材３４の両腕部３４ｂは図１に示すように本体側のバネ引掛部１９に係合し、両腕部３４ｂの互いに離間する方向への付勢力により、吸込パネル２０を上側へ引き上げてその周縁部を天井板５に当接させることにより天井板５の開口部５ａを覆っている。
【００１８】
一方、図４に示すように、上記した第１の隙間部３１の隙間寸法をＡ１、第２の隙間部３２の隙間寸法をＡ２とし、また、図５に示すように、バネ材３４の線径をＢ、バネ材３４の巻線部３４ａの幅寸法をＣとしたとき、Ｂ＜Ａ１＜Ｃ＜Ａ２の関係を有している。
【００１９】
即ち、Ｂ＜Ａ１とすることにより、バネ材３４の取付時にはその巻線部３４ａが第１の隙間部３１を通過することを可能とし、Ａ１＜Ｃとすることにより、吸込パネル２０の取付部２３の破損時に固定金具２４が図６に示すように回動したとき、バネ材３４の巻線部３４ａが第１の隙間部Ａ１から抜け出ることを規制するようになっている。
【００２０】
なお、Ｃ＜Ａ２とするのは、吸込パネル２０の取付部２３の破損時に固定金具２４が図６に示すように回動できるようにするためである。
【００２１】
また、固定金具２４の係止片２６には、第１の隙間部３１と第２の隙間部３２との間に位置して切欠部３３が形成されている。この切欠部３３にバネ材３４の巻線部３４ａの一部が入り込むことにより、バネ材３４ａの巻線部３４ａの抜けをより確実に規制できるようになっている。
【００２２】
また、上記した固定金具２４の取付穴２４ａには図２に示すように、連結材としての連結棒３７の一端部が固定されている。連結棒３７の他端部には鉤状の引掛部３７ａが形成され、この引掛部３７ａは吸込パネル２０のグリル２１の補強桟２１ｂに引っ掛けられている。即ち、固定金具２４と吸込パネル２０とは連結棒３７を介して連結されている。なお、連結棒３７は金属製の鋼線（針金）によって構成されている。
【００２３】
次に、吸込パネル２０の取付手順について説明する。
【００２４】
まず、固定金具２４を用意し、この固定金具２４の取付穴２４ａに連結棒３７の一端部を挿入してその挿入端部をペンチなどで折り曲げて固定し一体化する。ついで、連結棒３７の他端側の引掛部３７ａを吸込パネル２０のグリル２１の補強桟２１ｂに引っ掛けて固定金具２４と吸込パネル２０とを連結する。こののち、固定金具２４の固定片２７を吸込パネル２０の取付部２３の上面部に重ね合わせてネジ２９によってネジ止め固定する。この固定後、固定金具２４の係止片２６にバネ材３４の中央部のループ状の巻線部３４ａを通して第１の隙間部３１を通過させることにより第２の隙間部３２に位置させて係止させる。このようにしてバネ材３４のループ状の巻線部３４ａを係止させたのち、バネ材３４の２本の腕部３４ｂをその付勢力に抗して互いに近付く方向に変形させた状態にして本体ケース８内にその下面開口部９から挿入し、本体側のバネ引掛部１９に係合させる。この状態から吸込パネル２０を本体ケース側に押し込む。この押し込みにより、バネ材３４の２本の腕部３４ｂが自身の付勢力により互いに離間する方向に拡がり、この力により吸込パネル２０が上側へ引き上げられて固定保持されるようになる。以上により、吸込パネル２０の取り付けが完了する。
【００２５】
ところで、吸込パネル２０の取付部２３に取り付けられる固定金具２４には、吸込パネル２０を本体ケース方向に引き寄せる力が常に作用するため、長期使用により吸込パネル２０の取付部２３が劣化すると、取付部２３が破損する可能性がある。取付部２３が破損すると、図６に示すようにネジ２９が外れて固定金具２４が取付部２３から離脱し、吸込パネル２０が落下しようとする。しかしながら、このときには、バネ材３４の巻線部３４ａが係止片２６と基板部２５との間の第１の隙間部３１に引っ掛かって抜けが防止されるとともに、図７及び図８に示すように、連結棒３７を介して吸込パネル２０が吊持される。これにより、吸込パネル２０の落下が防止されることになる。なお、固定金具２４、バネ材３４、連結棒３７はすべて金属製であり、劣化することはない。また、連結棒３７の引掛部３７ａが引っ掛けられる吸込パネル２０のグリル２１の補強桟２１ｂは樹脂製であるが、この部分は普段は力が全く加らない場所であるため、それほど劣化することはなく、かつ吸込パネル２０は樹脂製で軽量であるため、ある程度の期間であれば補強桟２１ｂによって吸込パネル２０を吊り下げ状態としても、この部分が破損することはない。
【００２６】
上記したように、この実施の形態によれば、吸込パネル２０の取付部２３の破損時には、バネ材３４の巻線部３４ａが固定金具２４の第１の隙間部３１に引っ掛かって抜けが防止されるとともに、連結棒３７を介して吸込パネル２０が本体ケース８の本体側引掛部１９に吊持されるため、吸込パネル２０の落下を防止でき、安全性を向上できる。
【００２７】
なお、この発明は、上述した実施の形態そのままに限定されるものではなく、実施段階ではその要旨を逸脱しない範囲で構成要素を変形して具体化できる。たとえば、本実施麗では連結棒３７の引掛部３７ａは吸込パネル２０のグリル２１の補強桟２１ｂに引っ掛けたが、グリル２１の桟に引っ掛けることや、予め吸込みグリルに引っ掛け用の係止部を設け、これに引っ掛けるようにしても良い。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２８】
【図１】本発明の一実施の形態である天井用排気装置を示す構成図。
【図２】図１の吸込パネルの保持機構を示す斜視図。
【図３】図２の吸込パネルの保持機構を示す側面図。
【図４】図３の固定金具を示す側面図。
【図５】図３のバネ材を示す図。
【図６】図３の吸込パネルの取付部が破損して固定金具が外れた状態を示す図。
【図７】図６の固定金具によって連結棒を介して吸込パネルが吊持された状態を示す斜視図。
【図８】図６の固定金具によって連結棒を介して吸込パネルが吊持された状態を示す側面図。
【符号の説明】
【００２９】
３…屋根裏、５…天井板、５ａ…開口部、８…本体ケース、９…下面開口部、１４…送風機、１９…本体側のバネ引掛部（本体側係止部）、２０…吸込パネル、２３…取付部、２４…固定金具、２５…基板部、２６…係止片、２８…係止部、３０…隙間、３１…第１の隙間部、３２…第２の隙間部、３３…切欠部、３４…バネ材、３４ａ…巻線部、３４ｂ…腕部、３７…連結棒（連結材）、Ａ１…第１の隙間部の隙間寸法、Ａ２…第２の隙間部の隙間寸法、Ｂ…バネ材の線径、Ｃ…バネ材の巻線部の幅寸法。
【図１】
0005095498.tif 000002
【図２】
0005095498.tif 000003
【図３】
0005095498.tif 000004
【図４】
0005095498.tif 000005
【図５】
0005095498.tif 000006
【図６】
0005095498.tif 000007
【図７】
0005095498.tif 000008
【図８】
0005095498.tif 000009